(57)【特許請求の範囲】
【請求項１】
可視表示部に臨み、周面に各種図柄を設けた円筒状に形成され、略中心位置に連結固定部が設けられた図柄表示体と、
駆動基板に配置されて前記図柄表示体の連結固定部に回転軸が連結され、該図柄表示体の回転および停止を行なう回転駆動手段と、
前記図柄表示体に設けた図柄を後側から照明する照明手段と、
前記図柄表示体に設けられて位置指標として機能する位置検出体と、
前記位置検出体を検出して前記図柄表示体における図柄の原位置検出を行なう位置検出手段とを備える遊技機用の回転式図柄表示装置において、
前記照明手段は、前記駆動基板に配設されて、該図柄表示体の軸方向に光を照射する複数のＬＥＤと、
前記駆動基板に配設されて前記図柄表示体に倣う円弧状に形成されると共に、前記ＬＥＤを前記可視表示部側が覆蓋されるよう収容する隙間を駆動基板側の端部に有し、該複数のＬＥＤから照射された光を受けて面発光して前記可視表示部に到来した図柄表示体の各図柄を後側から照明するリフレクタ部材とからなり、
前記リフレクタ部材は、前記ＬＥＤの後側に位置して全体が前記図柄表示体に倣う円弧状に屈曲するよう連設され、該図柄表示体の軸方向と平行な複数の平板状の第１の反射面と、前記連接された複数の第１の反射面において前記複数のＬＥＤから離間する端縁側に設けられて前記図柄表示体に倣って円弧状に湾曲する第２の反射面と、前記連接された複数の第１の反射面において前記駆動基板側の端縁側に設けられて前記ＬＥＤの前側を覆蓋し、前記図柄表示体に倣って円弧状に湾曲する第３の反射面と、前記連接された複数の第１の反射面において前記第２の反射面および第３の反射面に交差する両端縁に設けられると共に、該第２の反射面および第３の反射面の対応する両端縁に設けられ、前記図柄表示体の周面側に延出する第４の反射面とを備えて、前記複数の第１の反射面と第３の反射面との間に前記ＬＥＤを収容する前記隙間が形成されて、前記複数の第１の反射面の後側と回転駆動手段との間に、前記位置検出体が通過する通出路を形成し、
前記図柄表示体における位置検出体を、該図柄表示体を回転させた際に、前記リフレクタ部材における複数の第１の反射面の後側と回転駆動手段との間に形成される通出路を通過し得る位置に設けた
ことを特徴とする遊技機用の回転式図柄表示装置。
【請求項２】
前記図柄表示体の前記連結固定部は、回転軸線上でかつ軸方向に沿った図柄表示体の幅の中央に対して駆動基板から離間する側に偏倚した位置に形成されると共に、前記位置検出体は、前記連結固定部から図柄表示体の径方向に延出する支持部と、該支持部の先端部から駆動基板側に屈曲した検出片とからＬ字状に形成され、
前記駆動基板から前記図柄表示体側に突出する取着部を設け、該取着部に前記位置検出手段を取着した請求項１記載の遊技機用の回転式図柄表示装置。
【請求項３】
前記駆動基板は、略矩形状に形成されて、該駆動基板における一端縁の略中央に、前記回転駆動手段から離間する方向に円弧状に突出する半円状の設置部が形成されて、該設置部に前記複数のＬＥＤが配設されると共に、
前記設置部には、該設置部に整合する半円状に形成されると共に前記取着部が一体的に形成され、前記複数のＬＥＤの挿通を許容する開口部を開設した取付ベースが配設され、
前記取付ベースには、前記設置部から離間する側に延出する立上がり部が形成されて、
前記取付ベースの開口部に挿通したＬＥＤを前記リフレクタ部材に設けた隙間に臨ませた状態で、前記リフレクタ部材における前記取付ベース側の端部が前記立上がり部に整合するよう構成した請求項２記載の遊技機用の回転式図柄表示装置。
【請求項４】
一方側に開口するよう形成され、前記設置部が開口側に位置すると共に前記回転駆動手段の回転軸が水平方向に延在する状態で前記駆動基板を保持するケースと、該ケースの開口側に設けられて前記可視表示部に臨む透視表示体とを備えて、該透視表示体を介して前記図柄表示体が可視表示部に臨むよう構成され、
前記ベース部材における立上がり部の下端部には、下方へ延出すると共に透視表示体側へ突出するＬ字状の位置決め突部が形成され、
前記透視表示体に形成された溝部に前記位置決め突部が係脱可能に係合することで、透視表示体に対して前記駆動基板が位置決めされる請求項３記載の遊技機用の回転式図柄表示装置。
【発明の詳細な説明】
【０００１】
【発明の属する技術分野】
この発明は、遊技機用の回転式図柄表示装置に関し、更に詳細には、回転する図柄表示体の内側に臨むよう配設され、該図柄表示体の円周面に表示した各種図柄を後側から照明する照明手段を有する遊技機用の回転式図柄表示装置に関するものである。
【０００２】
【従来の技術】
遊技機の代表例であるパチンコ機には、遊技中に発生する始動および停止を含む変動制御条件に基づいて図柄組合わせゲームを展開して特別遊技状態に係る権利とされる組合わせ入賞条件を成立表示することのできるドラム式やベルト式と称される回転式図柄表示装置が配設されているものがある。例えば、ドラム式図柄表示装置は、図柄表示体として合成樹脂成形された平プーリ形の図柄ドラム(ドラムの素地である回転体の外周に色彩区分された、例えば数字、アルファベット文字、その他の図形やマーク等の各種多様な識別用の図柄を配置したもの)、該図柄ドラムの回転駆動手段(一般にステッピングモータ)、図柄を後面側から照明する照明手段(例えばＬＥＤ)等が駆動基板上に配設されて、１基毎に図柄表示ユニット化されて、この図柄表示ユニットを１つのドラムケース内に複数基(通常では左列、中列、右列の３基)を組単位として並列セットすることで構成されている。
【０００３】
前記ドラム式図柄表示装置は、遊技盤における前面の中央に組付けた大型装飾部品に開口形成された透視窓状の可視表示部に対し、前記各図柄表示ユニットの各図柄ドラムを臨ませた状態で遊技盤の裏面に組付けて固定される。そして、パチンコゲーム中に発生した始動信号入力条件により、例えばドラムケースの上方に配設されている表示制御装置から発生される制御出力に基づいて各図柄表示ユニットの図柄ドラムが設定時間条件で回転・停止し、入賞ライン上に図柄を表示する。なお、前記照明手段により前記入賞ライン上に位置する図柄を照明するようになっており、該図柄が明輝表示される。
【０００４】
図柄組合わせゲームを展開するに際し、前記制御出力に基づいて所定の図柄を入賞ライン上に正確に停止表示させる必要がある。そのため、前記図柄ドラムの内周面に、該図柄ドラムの位置指標となるインデックス(位置検出体)を内側に向けて立設すると共に、該インデックスを検出する検出センサを、前記駆動基板上に配設固定してある。そして、前記図柄ドラムと一体的に回転するインデックスを前記検出センサが検出することにより、図柄ドラムの基準となる位置が認識されるようになっている。これにより、図柄ドラムに表示した各図柄の位置を認識し得るので、該図柄ドラムの基準位置からの回転量を制御することで、前記入賞ライン上に所定の図柄を停止表示することができる。
【０００５】
【発明が解決しようとする課題】
ところで、近年は遊技機の多様化や遊技性の向上を図るため、図柄ドラムの幅を大きくしてドラム式図柄表示装置自体を大型化したり、図柄ドラム内に複数色の発光体を配設して照明による演出の向上を図ることが求められている。この場合に、前記ドラム式図柄表示装置では、前記図柄ドラムの回転時に前記インデックスと前記照明手段とが干渉しないように、該図柄ドラムの内周面から離間した位置に照明手段が配設される。このため、前記照明手段からの光が周囲に拡散して、図柄に光を的確に照射し得ず、発光演出効果が薄れてしまう欠点がある。また、照明手段からの光を直接図柄に照射しているため、図柄ドラムの幅を大きくすると、入賞ラインに停止表示された図柄全体を明輝表示することが困難となり、演出効果が低下する問題も指摘される。
【０００６】
【発明の目的】
本発明は、前述した従来の技術に内在している前記課題に鑑み、これを好適に解決するべく提案されたものであって、回転表示体の内側に配設した照明手段により照明した際の演出効果を向上させ得る遊技機用の回転式図柄表示装置を提供することを目的とする。
【０００７】
【課題を解決するための手段】
前記課題を克服し、所期の目的を達成するため、本発明に係る遊技機用の回転式図柄表示装置は、
可視表示部(15)に臨み、周面に各種図柄を設けた円筒状に形成され、略中心位置に連結固定部(39)が設けられた図柄表示体(34)と、
駆動基板(30)に配置されて前記図柄表示体(34)の連結固定部(39)に回転軸が連結され、該図柄表示体(34)の回転および停止を行なう回転駆動手段(38)と、
前記図柄表示体(34)に設けた図柄を後側から照明する照明手段(41)と、
前記図柄表示体(34)に設けられて位置指標として機能する位置検出体(46)と、
前記位置検出体(46)を検出して前記図柄表示体(34)における図柄の原位置検出を行なう位置検出手段(48)とを備える遊技機用の回転式図柄表示装置において、
前記照明手段(41)は、前記駆動基板(30)に配設されて、該図柄表示体(34)の軸方向に光を照射する複数のＬＥＤ(41a)と、
前記駆動基板(30)に配設されて前記図柄表示体(34)に倣う円弧状に形成されると共に、前記ＬＥＤ(41a)を前記可視表示部(15)側が覆蓋されるよう収容する隙間を駆動基板(30)側の端部に有し、該複数のＬＥＤ(41a)から照射された光を受けて面発光して前記可視表示部(15)に到来した図柄表示体(34)の各図柄を後側から照明するリフレクタ部材(42)とからなり、
前記リフレクタ部材(42)は、前記ＬＥＤ(41a)の後側に位置して全体が前記図柄表示体(34)に倣う円弧状に屈曲するよう連設され、該図柄表示体(34)の軸方向と平行な複数の平板状の第１の反射面(42a,42b,42c)と、前記連接された複数の第１の反射面(42a,42b,42c)において前記複数のＬＥＤ(41a)から離間する端縁側に設けられて前記図柄表示体(34)に倣って円弧状に湾曲する第２の反射面(42f)と、前記連接された複数の第１の反射面(42a,42b,42c)において前記駆動基板(30)側の端縁側に設けられて前記ＬＥＤ(41a)の前側を覆蓋し、前記図柄表示体(34)に倣って円弧状に湾曲する第３の反射面(42g)と、前記連接された複数の第１の反射面(42a,42b,42c)において前記第２の反射面(42f)および第３の反射面(42g)に交差する両端縁に設けられると共に、該第２の反射面(42f)および第３の反射面(42g)の対応する両端縁に設けられ、前記図柄表示体(34)の周面側に延出する第４の反射面(42d,42e)とを備えて、前記複数の第１の反射面(42a,42b,42c)と第３の反射面(42g)との間に前記ＬＥＤ(41a)を収容する前記隙間が形成されて、前記複数の第１の反射面(42a,42b,42c)の後側と回転駆動手段(38)との間に、前記位置検出体(46)が通過する通出路(44)を形成し、
前記図柄表示体(34)における位置検出体(46)を、該図柄表示体(34)を回転させた際に、前記リフレクタ部材(42)における複数の第１の反射面(42a,42b,42c)の後側と回転駆動手段(38)との間に形成される通出路(44)を通過し得る位置に設けたことを特徴とする。
【０００８】
また、前記図柄表示体(34)の前記連結固定部(39)は、回転軸線上でかつ軸方向に沿った図柄表示体(34)の幅の中央に対して駆動基板(30)から離間する側に偏倚した位置に形成されると共に、前記位置検出体(46)は、前記連結固定部(39)から図柄表示体(34)の径方向に延出する支持部(46a)と、該支持部(46a)の先端部から駆動基板(30)側に屈曲した検出片(46b)とからＬ字状に形成され、
前記駆動基板(30)から前記図柄表示体(34)側に突出する取着部(33)を設け、該取着部(33)に前記位置検出手段(48)を取着することもできる。
【０００９】
更に、前記駆動基板(30)は、略矩形状に形成されて、該駆動基板(30)における一端縁の略中央に、前記回転駆動手段(38)から離間する方向に円弧状に突出する半円状の設置部(31)が形成されて、該設置部(31)に前記複数のＬＥＤ(41a)が配設されると共に、
前記設置部(31)には、該設置部(31)に整合する半円状に形成されると共に前記取着部(33)が一体的に形成され、前記複数のＬＥＤ(41a)の挿通を許容する開口部(32d)を開設した取付ベース(32)が配設され、
前記取付ベース(32)には、前記設置部(31)から離間する側に延出する立上がり部(32a)が形成されて、
前記取付ベース(32)の開口部(32d)に挿通したＬＥＤ(41a)を前記リフレクタ部材(42)に設けた隙間に臨ませた状態で、前記リフレクタ部材(42)における前記取付ベース(32)側の端部が前記立上がり部(32a)に整合するよう構成するようにしてもよい。
【００１０】
そして、一方側に開口するよう形成され、前記設置部(31)が開口側に位置すると共に前記回転駆動手段(38)の回転軸が水平方向に延在する状態で前記駆動基板(30)を保持するケース(21)と、該ケース(21)の開口側に設けられて前記可視表示部(15)に臨む透視表示体(22)とを備えて、該透視表示体(22)を介して前記図柄表示体(34)が可視表示部(15)に臨むよう構成され、
前記ベース部材における立上がり部(32a)の下端部には、下方へ延出すると共に透視表示体(22)側へ突出するＬ字状の位置決め突部(32c)が形成され、
前記透視表示体(22)に形成された溝部(22b)に前記位置決め突部(32c)が係脱可能に係合することで、透視表示体(22)に対して前記駆動基板(30)が位置決めすることもできる。
【００１１】
【作用】
本発明に係る遊技機用の回転式図柄表示装置は、図柄表示体に設けられて位置指標として機能する位置検出体を、該図柄表示体を回転させた際に、照明手段の後側を通過し得る位置に形成するようにしたので、該照明手段を図柄表示体の図柄に近接して配設できる。すなわち、照明手段により図柄を的確に照明し得るようになるので、照明による演出効果を向上させ得る。また照明手段を、前記図柄表示体の軸方向に沿って光を照射するＬＥＤと、該ＬＥＤの光を受けて面発光するリフレクタ部材とから構成すれば、該リフレクタ部材の後側に所要のスペースを設けることができ、このスペースを前記位置検出体が通過するよう構成すれば、該図柄表示体の不必要な大型化を防止することができる。
【００１２】
【発明の実施の形態】
次に、本発明に係る遊技機用の回転式図柄表示装置につき、好適な実施例を挙げて添付図面を参照しながら、以下詳細に説明する。ここで本実施例では、遊技機としてパチンコ球を遊技媒体として使用するパチンコ機を例示すると共に、回転式図柄表示装置として該パチンコ機に実施されるドラム形式の回転式図柄表示装置を例示する。
【００１３】
(パチンコ機について)
先ず本実施例のドラム式図柄表示装置が取付けられるパチンコ機の概略構成について、図２および図３を参照して説明する。本実施例のパチンコ機Ｐは、その基本的な概略構成として、外枠Ａの開口前面側に対して前枠Ｂが、連結支持手段および施錠手段を利用して着脱および開放可能に組付けられている。そして、前枠Ｂに横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤(図示せず)等が夫々装備されている一方、前枠Ｂの後側に所要の遊技領域Ｉを構成した遊技盤Ｊが着脱交換可能にセットされる。なお、以下の説明において前,後および左,右とは、図２に示すように前記遊技盤Ｊを前側から見た場合において指称するものとする。
【００１４】
(遊技盤について)
前記遊技盤Ｊは、図３に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述のドラム式図柄表示装置２０と、風車とも称されて遊技球用の流下方向を任意に変向する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、セーフ球を機構セット盤側に通出案内させる図示しないセーフ球案内部材が装着されている。そして、セーフ球案内部材に開設した可視表示部１５の後側に合わせてドラム式図柄表示装置２０が装備セットされるようになっている。なお、符号１６はアウト口を示す。
【００１５】
前記始動入賞具１１内に配設された図示しないスイッチは、各セーフ球の検出毎にドラム式図柄表示装置２０を１回ずつ作動スタートさせるための始動入力手段として利用される。また前記入賞装置Ｌは、ドラム式図柄表示装置２０の大当り成立時に対する特別遊技状態として、開成作動条件が付与される大型の入賞装置であって、特別入賞具１７に対設された扉状の開閉板１８が、後側の電磁ソレノイドに係る設定駆動条件に基づいて、通常の閉鎖状態から開放状態に変化されるようになっている。そして、特別入賞具１７の後側内部にセーフ球用のカウントスイッチと、開放作動継続用の特別スイッチ(Ｖスイッチ)が組込まれている(何れも図示せず)。なお、入賞装置Ｌの左右両側に普通入賞具１９,１９が設けられている。
【００１６】
(ドラム式図柄表示装置について)
次に、前記遊技盤Ｊの裏側に設置される実施例に係るドラム式図柄表示装置２０について説明する。実施例のドラム式図柄表示装置２０は、図４に示すように、前側に位置する透視表示体２２と、この透視表示体２２の後側に配設するドラムケース２１とから箱状に形成されており、このドラムケース２１内に横並び状態で３基の図柄表示ユニットＵ,Ｕ,Ｕが収容セットされている。そして、前記始動入賞具１１からの始動入力条件により、所要位置に設置した表示制御装置 (図示せず)から発生される制御出力に基づいて、各図柄表示ユニットＵを構成する図柄ドラム(図柄表示体)３４を設定時間に亘って回転させた後に停止する形式のものである。
【００１７】
(透視表示体について)
前記透視表示体２２は、図４に示すように、前記ドラム式図柄表示装置２０の前位置決め部材としても機能する部材である。前記透視表示体２２は、透明合成樹脂材により後側に開放する箱蓋形に形成され、その中央部には前向きの凸円弧形に膨出する透視部２２ａが形成されており、該透視部２２ａが前記可視表示部１５に整合するようになっている。また、前記透視表示体２２の後側で前記透視部２２ａの下方位置には、上下方向に延在すると共に左右方向に離間する３箇所に溝部２２ｂが形成されている。なお、前記透視部２２ａには、各種図柄の有効停止ラインを表わす図柄停止ラインＴ(図３参照)が複数列・複数段、具体的には３列×３段で設けられて、合計９個の図柄を停止表示するよう構成されている。
【００１８】
(ドラムケースについて)
前記ドラムケース２１は、図４に示す如く、前後に連結可能な後ケース２４および前ケース２５とから構成されている。この後ケース２４は、前側に開口する箱状に形成されて、後ケース２４における後壁部２４ａの上部位置に、３箇所に挿通孔(図示せず)を形成してある。そして、前記各挿通孔は、前記ドラムケース２１内に収容セットする前記各図柄表示ユニットＵのコネクタ接続口３０ａ(後述)を外部に挿通し得るようになっている。また、前記後壁部２４ａの内側には、左右に離間する一対の突起部２４ｂ,２４ｂが前側に向かって３組突設されている。
【００１９】
また、前ケース２５は、前後方向に開口する角筒状に形成されており、後側の開口部は前記後ケース２４の開口部に整合し、前側の開口部は前記透視表示体２２の後面に当接させた際に、前記透視部２２ａの外側を囲繞するようになっている。また、前ケース２５における上壁部２５ａの内側には、前後方向に延在する突片部２５ｂが３箇所に形成されている。なお、前記透視表示体２２の溝部２２ｂ、後ケース２４の突起部２４ｂ,２４ｂおよび前ケース２５の突片部２５ｂは略同一面上に位置するよう構成されている。
【００２０】
(図柄表示ユニットについて)
前記各図柄表示ユニットＵは、基本的に同一の構成とされている。すなわち、図１または図５に示すように、前記図柄表示ユニットＵは、略矩形状の駆動基板３０と、この駆動基板３０の一面(実施例では右面)に配設されて前記図柄ドラム３４の回転および停止を行なうステッピングモータ(回転駆動手段)３８と、駆動基板３０の右面に位置して前記透視部２２ａを介して前記可視表示部１５に臨む図柄ドラム３４と、駆動基板３０の右面に配設されて該図柄ドラム３４に設けられた図柄を後側から照明し得る照明装置(照明手段)４１と、駆動基板３０の右面に配設されて当該図柄ドラム３４に設けられた図柄の原位置検出を行なう検出センサ(位置検出手段)４８とから基本的に構成される。なお、前記駆動基板３０は、前側端縁の略中央に前側に向かって円弧状に突出する設置部３１が形成されて、該設置部３１に取付ベース３２を配設固定するようになっている(図１参照)。
【００２１】
前記取付ベース３２は、図１に示すように、前記設置部３１と整合する半円状の平板部材に形成されると共に、その円弧状端部には、その略全長に亘って右方向(図柄ドラム３４等の位置する方向)に延出する立上がり部３２ａが形成され、該立上がり部３２ａが設置部３１の前側に位置する状態で取付けられる。また、前記取付ベース３２における前記立上がり部３２ａの近傍には、その円弧状に倣って開口する開口部３２ｄが形成されている。更に、前記取付ベース３２の下方位置には、右方向に突出する台状の取着部３３が形成されている。すなわち、前記駆動基板３０から図柄ドラム３４側に突出して前記取着部３３が設けられ、該取着部３３の右端面に前記検出センサ４８を取着するようになっている。なお、前記取着部３３の右端面は、図柄ドラム３４とステッピングモータ３８との連結固定部３９(後述)近傍に位置している。
【００２２】
更に、前記立上がり部３２ａの上端部近傍から上方に向けて延出形成された突出部材の端部に、前方および上方に開口する位置決め凹部３２ｂが形成されて、該凹部３２ｂと前記前ケース２５の突片部２５ｂとが係脱可能に係合するようになっている。また、前記立上がり部３２ａにおける下端部近傍に、先端が前側を指向するＬ字状の位置決め突部３２ｃが形成されて、該突部３２ｃと前記透視表示体２２の溝部２２ｂとが係脱可能に係合するよう構成されている。すなわち、前記位置決め凹部３２ｂと突片部２５ｂおよび前記位置決め突部３２ｃと前記溝部２２ｂの夫々が係合することで、前記駆動基板３０の前側を位置決めするよう構成される。
【００２３】
また、前記ステッピングモータ３８は、図１または図５に示すように、前記駆動基板３０の略中央位置に配設されると共に、該駆動基板３０の後方上部位置に設けたコネクタ接続口３０ａに、該ステッピングモータ３８を駆動制御する前記表示制御装置を接続するようになっている。ここで、ステッピングモータ３８は一例として２００パルス単位で１回転し、図柄ドラム３４の外周面に１０個の図柄が形成されている場合は、２０パルス単位で１図柄分の角度３６°を変動して停止するよう設定してある。
【００２４】
(図柄ドラムについて)
前記図柄ドラム３４は、図１または図６に示すように、左右方向に離間して設けられて、同一の円形枠状に形成された右枠部３５および左枠部３６とを、周方向に離間する複数の支持部材３７で平行状態に連結固定することで円筒状に形成される。すなわち、前記図柄ドラム３４の周面の大部分は開口した状態となっている。また、前記図柄ドラム３４の周面には、例えば有色透明で光透過性を有する樹脂フィルム等を材質として表面に複数の各種図柄を設けた図柄フィルム３４ａ(図４参照)が配設されており、各図柄が前記各図柄停止ラインＴに個別に臨むよう構成される。なお、前記左右の枠部３５,３６の直径は、前記取付ベース３２における立上がり部３２ａの前側を非接触状態で回転するよう設定されている。
【００２５】
更に、前記右枠部３５の所要箇所には径方向内側に向けて所要量だけ延出した後に前記駆動基板３０側に屈曲する略Ｌ字状のスポーク３５ａが複数(実施例では５つ)形成してある。そして、前記図柄ドラム３４の略中心位置に位置する連結固定部３９に前記各スポーク３５ａが連結しており、該連結固定部３９を前記ステッピングモータ３８の回転軸３８ａと連結することで、前記図柄ドラム３４が該モータ３８の回転に追従して回転するようになっている。
【００２６】
(位置検出体および位置検出手段について)
前記連結固定部３９の所要位置には、前記図柄ドラム３４の位置指標として機能するインデックス(位置検出体)４６が形成されている。このインデックス４６は、前記連結固定部３９から径方向外側に延出する支持部４６ａと、該支持部４６ａの先端部から駆動基板３０側に屈曲した検出片４６ｂとからＬ字状に形成してある(図６参照)。そして、前記取着部３３に取り付けられる前記検出センサ４８により、図柄ドラム３４に設けた前記インデックス４６の検出時毎に図柄の原位置を確認検出するよう構成される。前記検出センサ４８は、凹形の本体部の対向位置に発光部と受光部を夫々備えており、図柄ドラム３４の回転中において、前記連結固定部３９に設けたインデックス４６の検出片４６ｂにより遮光された時点で検出(ＯＮ)状態とされて、ステッピングモータ３８および図柄ドラム３４の１回転(３６０°)を検出するように設定されている。そして、検出された図柄の原位置からの図柄ドラム３４(ステッピングモータ３８)の回転量に基づいて、所定の図柄を前記図柄停止ラインＴに停止表示し得るようになっている。
【００２７】
(照明装置について)
前記照明装置４１は、図１に示すように発光体としての複数の発光ダイオード(ＬＥＤ)４１ａと、該ＬＥＤ４１ａから照射された光を受けて面発光し得るリフレクタ部材４２とから構成される。前記ＬＥＤ４１ａは前記駆動基板３０の設置部３１における円弧状の端部(以下円弧状端部と云う)に沿って複数配設され、前記取付ベース３２を該設置部３１に取付けた際に、取付ベース３２の前記開口部３２ｄに挿通されるようになっている。また、前記ＬＥＤ４１ａは、右方向を指向するよう配設されており、図６に示すように、前記図柄ドラム３４の軸方向に光を照射するよう構成してある。
【００２８】
また、前記リフレクタ部材４２は、裏側に固定する固定部材４３を介して前記取付ベース３２に配設固定される。このとき、前記固定部材４３とステッピングモータ３８との間を所要間隔離間させて所要の通出路４４が形成され(図５または図６参照)、該ステッピングモータ３８を駆動して前記図柄ドラム３４を回転させた際に、前記インデックス４６が該通出路４４を通過するようになっている。そして、図１または図５に示すように、前記リフレクタ部材４２は、前記図柄ドラム３４の軸方向と平行な上反射面４２ａ、中反射面４２ｂおよび下反射面４２ｃから形成されて、前記取付ベース３２(図柄ドラム３４)の円弧形状に倣って屈曲している。なお、取付ベース３２の開口部３２ｄに挿通した前記ＬＥＤ４１ａが、各反射面４２ａ,４２ｂ,４２ｃの前面側に整列するようになっている。
【００２９】
そして、図１に示すように、前記上反射面４２ａ、中反射面４２ｂおよび下反射面４２ｃの夫々が、前記図柄停止ラインＴの上段、中段および下段の夫々に対応している。なお、前記各反射面４２ａ,４２ｂ,４２ｃの左右の幅寸法は、前記図柄ドラム３４の幅寸法より小さく設定してある。また、前記上反射面４２ａの上端縁には、前記図柄ドラム３４の幅方向に拡がりながら前側(図柄ドラム３４の周面側)に延出する上部反射面４２ｄが形成され、前記下反射面４２ｃの下端縁には、該図柄ドラム３４の幅方向に拡がりながら前側に延出する下部反射面４２ｅが形成されており、前記ＬＥＤ４１ａから上方または下方に照射された光を受けて、図柄停止ラインＴ側に面発光するよう構成されている。
【００３０】
更に、前記各反射面４２ａ〜４２ｅの左右の側縁には、前記図柄ドラム３４における右枠部３５に向かって拡がりながら、該図柄ドラム３４に倣って円弧状に湾曲する右側反射面４２ｆおよび左側反射面４２ｇを形成してある。なお、前記左側反射面４２ｇの端縁は前記取付ベース３２の立上がり部３２ａの後側に整合するよう構成される。このように、前記リフレクタ部材４２は、前側に開口すると共に前記図柄ドラム３４に倣って湾曲する箱枠状に形成されている。また、前記左側反射面４２ｇと前記上・中・下反射面４２ａ,４２ｂ,４２ｃとの間に所要の隙間が形成されており、この隙間に前記各ＬＥＤ４１ａが位置している(図６参照)。すなわち、前記各ＬＥＤ４１ａの前側は、前記左側反射面４２ｇにより覆蓋されて、各ＬＥＤ４１ａにより図柄ドラム３４の図柄を直接照明しないよう構成される。
【００３１】
【実施例の作用】
次に、実施例に係るドラム式図柄表示装置の作用につき説明する。前記ドラム式図柄表示装置２０は、駆動基板３０の後側の上部位置に形成したコネクタ接続口３０ａを後ケース２４の挿通孔から外部に露出させた状態で、該駆動基板３０の後側下部位置を該後ケース２４の突起部２４ｂ,２４ｂの間に挿入して、図柄表示ユニットＵの後側を位置決め固定する。更に、前記駆動基板３０に取付けた取付ベース３２における前記位置決め突部３２ｃを、透視表示体２２の溝部２２ｂと係合させると共に、該取付ベース３２における位置決め凹部３２ｂを、前ケース２５の突片部２５ｂと係合させることで、前記図柄表示ユニットＵの前側を位置決め固定してドラムケース２１内に直立状態で保持する。この状態で、前記駆動基板３０上に配設されているステッピングモータ３８の回転または停止を行なうことで、該ステッピングモータ３８に連結固定部３９を介して連結した図柄ドラム３４の回転および停止を行なうようになっている。
【００３２】
ここで、前記連結固定部３９に形成したインデックス４６の検出片４６ｂが、前記検出センサ４８の発光部と受光部の間を通過すると、前記図柄ドラム３４の周面に設けた図柄の原位置が認識される。そして、図柄ドラム３４における図柄の原位置からの前記ステッピングモータ３８の変位量を制御することで、所定の図柄を前記各図柄停止ラインＴにおける対応位置に停止表示させることが可能となる。
【００３３】
また、前記検出片４６ｂがあまりに長い場合には、前記図柄ドラム３４が回転した際に該検出片４６ｂと他部材とが接触して折れ曲がり、前記検出センサ４８で検出した際に誤差が生じて正確に図柄の原位置検出を行なうことができなくなる畏れがある。そこで実施例では、前記取付ベース３２に形成した取着部３３に検出センサ４８を取付けることで、該検出センサ４８を前記インデックス４６の支持部４６ａに近づけ、前記インデックス４６の検出片４６ｂを短くするようにしたので、前記図柄ドラム３４の回転に際して前記検出片４６ｂに折れ曲がり等の発生が抑制でき、正確な図柄の原位置検出を行ない得る。
【００３４】
そして、前記インデックス４６を連結固定部３９に形成すると共に、該インデックス４６を前記リフレクタ部材４２(照明装置４１)の後側とステッピングモータ３８との間に画成した所要の通出路４４を通過させることで、該リフレクタ部材４２の各反射面４２ａ〜４２ｅを図柄ドラム３４の周面に近接して配設することができるようになる。このため、前記照明手段４１からの光が周囲に拡散することなく、図柄を的確に照明することができるようになり、照明による演出効果を向上させることが可能となる。更に、前記ＬＥＤ４１ａから照射された光を受けて、該リフレクタ部材４２を面発光させて、前記各図柄停止ラインＴに表示される図柄を後側から照明することで、図柄ドラム３４の幅を大きくしても、図柄停止ラインＴの図柄全体を均一の明るさで明輝表示できるようになり、演出効果の低下を招く畏れはない。
【００３５】
また、前記リフレクタ部材４２の左側反射面４２ｇで前記ＬＥＤ４１ａの図柄停止ラインＴ側を覆蓋すると共に、該ＬＥＤ４１ａの駆動基板３０との固定箇所を取付ベース３２の立上がり面３２ａで覆い、当該ＬＥＤ４１ａからの光により図柄を直接照明しないようにしたので、図柄の照明斑が生ずる畏れはなく、均一な輝度で照明演出することが可能となる。
【００３６】
なお、ドラム式図柄表示装置の構成としては、実施例のものに限られず、各種の変更が可能である。例えば、位置検出体をＬ字状に形成するようにしたが、単に直線的に延出するようにしてもよい。この場合、前記位置検出体を検出する位置検出手段を、該位置検出体側に開口するよう配設して、発光部と受光部との間を位置検出体が通出するよう構成すればよい。また、発光体としてはＬＥＤに限られるものではなく、豆球等の各種発光体を使用することができる。
【００３７】
そして、回転式図柄表示装置として、図柄ドラムを回転させるドラム式図柄表示装置を使用した場合で説明したが、これに限られず、ベルト式やその他従来公知の装置を使用することができる。また、遊技機として、一般的なパチンコ機に回転式図柄表示装置を配設する場合について説明したが、これに限られるものではなく、スロットマシン機等にも好適に使用することができる。
【００３８】
【発明の効果】
以上説明したように、本発明に係る遊技機における回転式図柄表示装置は、円周面の各種図柄を図柄停止ラインに個別に臨ませるようにした図柄表示体に設けた位置検出体を、該図柄表示体を回転させた際に、前記照明手段の後側を通過し得る位置に設けるようにしたので、該照明手段を図柄表示体の周面に近接して配設することができ、照明による演出効果を向上させ得る。また、前記図柄表示体と回転駆動手段との連結固定部の近傍まで突出する取着部を設けて、該取着部に前記位置検出体を検出する位置検出手段を取着することにより、該位置検出体を必要以上に延出させる必要がなく、当該位置検出体が損傷するのを防止し得る。更に、照明手段を、前記図柄表示体の軸方向に沿って光を照射するＬＥＤと、該ＬＥＤの光を受けて面発光するリフレクタ部材とから構成すれば、該リフレクタ部材の後側に所要のスペースを設けることができ、このスペースに前記位置検出体を通過させることで、該図柄表示体の不必要な大型化を防止することができる。
【図面の簡単な説明】
【図１】本発明に係る実施例の図柄表示ユニットを分解した状態で示す斜視図である。
【図２】実施例に係るドラム式図柄表示装置を配設したパチンコ機を示す正面図である。
【図３】実施例に係るドラム式図柄表示装置を配設したパチンコ機の遊技盤を示す正面図である。
【図４】実施例に係るドラム式図柄表示装置を分解した状態で示す斜視図である。
【図５】実施例に係る図柄表示ユニットのリフレクタ部材を一部破断した状態を示す側面図である。
【図６】実施例に係る図柄表示ユニットのリフレクタ部材を一部破断した状態を示す底面図である。
【符号の説明】
１５  可視表示部
２１  ドラムケース(ケース)
２２  透視表示体
２２ｂ  溝部
３０  駆動基板
３１  設置部
３２  取付ベース
３２ａ  立上がり部
３２ｃ  位置決め突部
３２ｄ  開口部
３３  取着部
３４  図柄ドラム(図柄表示体)
３８  ステッピングモータ(回転駆動手段)
３９  連結固定部
４１  照明装置(照明手段)
４１ａ  ＬＥＤ(発光体)
４２  リフレクタ部材
４２ａ  上反射面(第１の反射面)
４２ｂ  中反射面(第１の反射面)
４２ｃ  下反射面(第１の反射面)
４２ｄ  上側反射面(第４の反射面)
４２ｅ  下側反射面(第４の反射面)
４２ｆ  右側反射面(第２の反射面)
４２ｇ  左側反射面(第３の反射面)
４４  通出路
４６  インデックス(位置検出体)
４６ａ  支持部
４６ｂ  検出片
４８  検出センサ(位置検出手段)
【図１】
0004218004.tif 000002
【図２】
0004218004.tif 000003
【図３】
0004218004.tif 000004
【図４】
0004218004.tif 000005
【図５】
0004218004.tif 000006
【図６】
0004218004.tif 000007